(57)【要約】【課題】  優れた整腸作用を発揮する飼料用添加物及びその製造方法を提供する。【解決手段】  飼料へ添加する添加物において、重量比にて米ぬか粉１０に対してアロエ粉を０．９〜１．１の割合で含有することを特徴とする。前記米ぬか粉と前記アロエ粉に加えてさらに魚粉を含有し、重量比にて該米ぬか粉１０に対して該魚粉を０．３６〜０．４４の割合で含有することが好適であり、前記アロエ粉が、キダチアロエ粉であることが好適である。【選択図】  なし【特許請求の範囲】
【請求項１】
飼料へ添加する添加物において、重量比にて米ぬか粉１０に対してアロエ粉を０．９〜１．１の割合で含有することを特徴とする飼料用添加物。
【請求項２】
前記米ぬか粉と前記アロエ粉に加えてさらに魚粉を含有し、重量比にて該米ぬか粉１０に対して該魚粉を０．３６〜０．４４の割合で含有することを特徴とする請求項１に記載の飼料用添加物。
【請求項３】
前記アロエ粉が、キダチアロエ粉であることを特徴とする請求項１または２に記載の飼料用添加物。
【請求項４】
米ぬか粉とアロエ粉とを、重量比にて該米ぬか粉１０に対して該アロエ粉を０．９〜１．１の割合で準備する工程と、
前記米ぬか粉を焙煎する工程と、
焙煎後の前記米ぬか粉を冷却した後、該米ぬか粉を微粒子化する工程と、
微粒子化した前記米ぬか粉に対し前記アロエ粉を混合する工程とを有することを特徴とする
飼料用添加物の製造方法。
【請求項５】
米ぬか粉とアロエ粉と魚粉とを、重量比にて該米ぬか粉１０に対して該アロエ粉を０．９〜１．１の割合で、該魚粉を０．３６〜０．４４の割合で準備する工程と、
前記米ぬか粉及び前記魚粉を混合し焙煎する工程と、
焙煎後の前記米ぬか粉及び前記魚粉を冷却した後、該米ぬか粉及び該魚粉を微粒子化する工程と、
微粒子化した前記米ぬか粉及び前記魚粉に対し前記アロエ粉を混合する工程とを有することを特徴とする
飼料用添加物の製造方法。
【請求項６】
前記アロエ粉が、キダチアロエ粉であることを特徴とする請求項４または５に記載の飼料用添加物の製造方法。
【発明の詳細な説明】
【技術分野】
【０００１】
本発明は、家畜又は愛玩動物の健康維持及び向上のために飼料に添加する添加物及びその製造方法に関する。
【背景技術】
【０００２】
家畜（牛、豚、山羊、馬等）又は愛玩動物（犬、猫等）においては、温度や湿度等の環境条件の影響を受けて胃腸等の機能が低下し、食欲が低下することがよくある。食欲が低下すると、動物の健康状態が悪化し体重が落ちる。さらに、家畜においては増体阻害が生じて経営的にも問題となる。
【０００３】
斯かる状態の予防若しくは改善を図るために、健康維持若しくは向上を実現する種々の飼料または飼料用添加物が提示されている。
【０００４】
例えば、特許文献１では、家畜等の整腸作用のために、アロエを含む種々の野菜及び果実の発酵物から抽出した植物性エキスを混合して米ぬか培地を発酵させ、乾燥した飼料添加物が開示されている。また、特許文献２では、食欲低下時の増体阻害を防止する、乾燥トウモロコシ粉砕物に米ぬか及び魚粉等を混合した養豚用配合飼料が開示されている。
【特許文献１】特開平７−８７８９９号公報
【特許文献２】特開２００３−２８９８１３号公報
【発明の開示】
【発明が解決しようとする課題】
【０００５】
従来から、アロエと米ぬかのそれぞれが整腸作用を有するという知見は得られていたが、粉体のアロエと米ぬかを組み合わせた飼料用添加物は知られておらず、これらを組み合わせて使用することによる整腸作用についても認識されていなかった。
【０００６】
そこで本発明は、アロエ粉と米ぬか粉とを組み合わせることにより優れた整腸作用を発揮する飼料用添加物及びその製造方法を提供することを目的とする。
【課題を解決するための手段】
【０００７】
上記の目的を達成すべく、本発明は以下の構成を提供する。
（１）請求項１に係る発明は、飼料へ添加する添加物において、重量比にて米ぬか粉１０に対してアロエ粉を０．９〜１．１の割合で含有することを特徴とする飼料用添加物である。
【０００８】
（２）請求項２に係る発明は、請求項１の飼料用添加物において、前記米ぬか粉と前記アロエ粉に加えてさらに魚粉を含有し、重量比にて該米ぬか粉１０に対して該魚粉を０．３６〜０．４４の割合で含有することを特徴とする。
【０００９】
（３）請求項３に係る発明は、請求項１または２において、前記アロエ粉が、キダチアロエ粉であることを特徴とする。
【００１０】
（４）請求項４に係る発明は、飼料用添加物の製造方法において、米ぬか粉とアロエ粉とを、重量比にて該米ぬか粉１０に対して該アロエ粉を０．９〜１．１の割合で準備する工程と、前記米ぬか粉を焙煎する工程と、焙煎後の前記米ぬか粉を冷却した後、該米ぬか粉を微粒子化する工程と、微粒子化した前記米ぬか粉に対し前記アロエ粉を混合する工程とを有することを特徴とする。
【００１１】
（５）請求項５に係る発明は、飼料用添加物の製造方法において、米ぬか粉とアロエ粉と魚粉とを、重量比にて該米ぬか粉１０に対して該アロエ粉を０．９〜１．１の割合で、該魚粉を０．３６〜０．４４の割合で準備する工程と、前記米ぬか粉及び前記魚粉を混合し焙煎する工程と、焙煎後の前記米ぬか粉及び前記魚粉を冷却した後、該米ぬか粉及び該魚粉を微粒子化する工程と、微粒子化した前記米ぬか粉及び前記魚粉に対し前記アロエ粉を混合する工程とを有することを特徴とする。
【００１２】
（６）請求項６に係る発明は、請求項４または５において、前記アロエ粉が、キダチアロエ粉であることを特徴とする。
【発明の効果】
【００１３】
本発明による飼料用添加物は、整腸作用に優れた米ぬかとアロエを混合しているため顕著な相乗効果を奏する。すなわち、家畜等の胃腸障害を改善すると共に、正常な胃腸機能を維持し、特に下痢発生を低減し便秘を改善する整腸作用に優れている。加えて、糞便や尿の悪臭消去作用も有用である。
【００１４】
また、米ぬかを焙煎しているので香ばしく、家畜等の食欲を刺激して食欲低下を改善することができる。その結果、飼料を無駄にすることなく効率的に給餌できる。
【００１５】
さらにまた、粉体状であるため固形物の違和感もなく、従来用いている予備配合物や家畜飼料と混合することができる。
【００１６】
米ぬかもアロエも１００％天然物であり、人工的な化学物質や抗生物質等の添加物を一切含まないので、家畜にとって健康的であると同時に安全性に優れている。
【発明を実施するための最良の形態】
【００１７】
本発明による飼料用添加物は、家畜又は愛玩動物への健康食品として利用されるものであり、従来与えてきた飼料へ添加することにより使用される。添加方法としては、従来与えてきた飼料に追加して与える場合と、一部を置き換えて与える場合の双方の方法が含まれる。
【００１８】
本発明の飼料用添加物の第１の実施形態では、重量比にて米ぬか粉１０に対してアロエ粉を０．９〜１．１の割合で含有することが好適である。さらに好適には、重量比にて米ぬか粉１０に対してアロエ粉を１の割合で含有する。
【００１９】
米ぬか粉とアロエ粉の各々の粉体は、例えば、粒径が１μm〜５００μm、より好ましくは１０μm〜２００μm程度とする。この範囲より大きい粒径であると、家畜等が固形物として違和感を感じるようになり、従来の飼料と異なるものとして認識する可能性が生じる。また、添加される飼料との混和性が低下する傾向がある。一方、この範囲より小さい粒径であると、微粒子化するための製造コストが高くなる上、取扱いが困難となる。
【００２０】
米ぬかは、ビタミンＢ１、タンパク質、ビタミンＢ２、脂質、ナイアシン、繊維、リン、カルシウム、ニコチン酸、鉄、ビタミンＥ等が豊富であり、優れた栄養食品である。本発明ではさらに、米ぬかを焙煎したものを用いることが好適である。焙煎した米ぬかは香ばしいために家畜等に好まれるためである。
【００２１】
アロエには、薬効のある幾つかの種類が知られているが、キダチアロエとアロエベラの２種類がよく知られている。本発明では、特に、乾燥状態すなわち粉末状態でも薬効を発揮できるキダチアロエが好適である。キダチアロエには、アロイン、アロエニン、アロエエモジン、アロエウルシン、アロエシン、アロエソンエモジン、アロエチン、アロミチン等の多種成分が含まれ、健胃、緩下、抗潰瘍等の効能が知られている。尚、キダチアロエ以外でも、粉末状態でこれらの薬効を有する種類であれば、本発明に適用できる。以下の実施形態でも同様である。
【００２２】
本発明の飼料用添加物の第２の実施形態では、米ぬか粉とアロエ粉を前述の割合で含有する場合において、さらに魚粉を含有し、重量比にて米ぬか粉１０に対して魚粉を０．３６〜０．４４の割合で含有することが好適である。さらに好適には、重量比にて米ぬか粉１０に対して魚粉を０．４を含有する。魚粉は、良質のタンパク質供給源であると共にアミノ酸、カルシウム、リンがバランスよく含まれ、ビタミンＢ１２も多いことから、重要な飼料原料である。この魚粉を含む飼料用添加物は、特に愛玩動物用に適している。その場合は、例えば、従来のペットフードに本発明の飼料用添加物をふりかけて与える。
【００２３】
次に、本発明による飼料用添加物の製造方法を説明する。
本発明による飼料用添加物の第１の実施形態は、次の各工程を有する。
・第１工程：米ぬか粉とアロエ粉とを、重量比にて米ぬか粉１０に対してアロエ粉を０．９〜１．１の割合で準備する。さらに好適には、米ぬか粉１０に対してアロエ粉１の割合で準備する。米ぬか粉は、精米過程において副産物として入手可能であり、アロエ粉は、葉部を真空凍結乾燥し粉末化したものとして入手可能である。アロエ粉が、キダチアロエ粉が好適である。
・第２工程：準備した米ぬか粉を焙煎する。
・第３工程：焙煎後の米ぬか粉を冷却した後、米ぬか粉を微粒子化する。精粉機を用いて行うことができる。
・第４工程：微粒子化した米ぬか粉に対しアロエ粉を混合することにより、本発明の飼料用添加物を得る。
【００２４】
また、本発明による飼料用添加物の第２の実施形態は、次の各工程を有する。
・第１工程：米ぬか粉とアロエ粉と魚粉とを、重量比にて米ぬか粉１０に対してアロエ粉を０．９〜１．１の割合で、そして魚粉を０．３６〜０．４４の割合で準備する。さらに好適には、米ぬか粉１０に対してアロエ粉１の割合で、魚粉を０．４の割合で準備する。アロエ粉が、キダチアロエ粉が好適である。魚粉は、水産加工後の廃棄部分等を乾燥し粉末化したものとして入手可能である。
・第２工程：準備した米ぬか粉及び魚粉を焙煎する。
・第３工程：焙煎後の米ぬか粉及び魚粉を冷却した後、米ぬか粉及び魚粉を微粒子化する。精粉機を用いて行うことができる。
・第４工程：微粒子化した米ぬか粉及び魚粉に対しアロエ粉を混合することにより、本発明の飼料用添加物を得る。
【実施例】
【００２５】
本発明の第１の実施形態による飼料用添加物を用いて以下の試験を行った。
＜試験内容＞
・試験業者：養豚業者
・試験期間：１か月（３０日）
・試験肉豚：８頭×２室（３０日齢仔豚）
（マイコプラズマヘモワクチン接種後、本試験を開始）
・添加量（１頭当たり）：
１日量  （アロエ粉３ｇ  米ぬか粉２７ｇ  計３０ｇ）
１か月量（アロエ粉９０ｇ  米ぬか８１０ｇ  計９００ｇ）
・給餌方法：
ＪＡクランブル配合飼料（通常量）に上記添加量を混入し、通常の時間帯に給餌を行った。
【００２６】
＜試験結果＞
以下の結果が観察された。
(i)焙煎した米ぬかの香ばしい香りが食欲を増進させ、全体的に良好に摂取した。
(ii)試験開始して数日後から、飼料の食べ残しがなくなった。
(iii)飼料のみのときは軟便であったが、試験開始後３日目には便が固くなった。
(iv)試験開始後２週目頃には、添加物非使用の他の肉豚より毛艶が良く、動きも活発であった。
(v)従来は１か月の期間に一定の割合で病豚が発生していたが、本試験の１か月の期間には病豚が発生しなかった。
【００２７】
以上の試験結果から、本発明の飼料用添加物は、生後虚弱な仔豚にも有効であり、食欲促進及び整腸に大きな効果があることが確認された。